(57)【要約】【課題】ペイ・パー・ビュー番組などの購入処理が必要な番組を、予約して録画する機能を備えた受信機において、正常に録画できない状況にも関わらず、購入処理を実施してしまい、課金が発生することを防止する。【解決手段】放送波の受信状況から番組が正常に録画できるかを判断する手段、正常に録画できない場合には、正常に録画で可能な状況に改善するまで、番組の購入処理を行わず、正常に録画が可能な状況になってから購入処理を実施して、番組の録画を開始する手段を備えている。また、正常に番組が録画可能な受信状況であっても、録画時間が設定した状況を満たさない場合にも、購入処理を実施しない手段を備えている。【選択図】図３
2013128196.tif 000002
【特許請求の範囲】
【請求項１】
有料番組を含む番組を受信する受信手段と、録画予約された番組を録画する録画手段と、前記番組が有料番組の場合は、当該有料番組の購入処理を行う購入処理手段と、を備えた放送受信装置において、
前記放送受信装置の装置状態を判定する装置状態判定手段と、
録画予約した番組の録画予約時間に到達したときに、前記装置状態により録画予約した番組が正常に録画可能か判定する録画判定手段と、
前記録画判定手段により、正常に録画出来ると判定された場合には前記購入処理手段に対して購入処理を実行させる制御をする制御部と、
を備えることを特徴とする放送受信装置。
【請求項２】
前記装置状態は、受信部の番組受信状態、番組を録画する録画メディアの残容量及び／又はバッテリの残量であることを特徴とする請求項１に記載の放送受信装置。
【請求項３】
前記制御部は、
番組を録画予約した時間に到達した場合に、前記受信部が番組を受信する状態が良好ではなく正常に録画ができないと判定した場合は、有料番組の購入処理を一時的に見合わせ、前記受信部が番組を正常に受信可能な状態と判定できるまで改善した場合に、前記購入処理手段に対して有料番組の購入処理を実行させる制御をすることを特徴とする請求項１に記載の放送受信装置。
【請求項４】
前記制御部は、
番組を録画予約した時間に到達した場合に、装置状態として受信部の番組受信状態が良好で正常に録画が可能と判定できる状態であっても、バッテリ残量及び／又は録画メディアの残り容量を判定して録画可能な時間を算出し、
最少録画時間分の録画が可能と判断した場合には、前記購入処理手段に対して購入処理を実行させることを特徴とする請求項１又は３に記載の放送受信装置。
【請求項５】
有料番組を含む番組を受信する受信機能と、録画予約された番組を録画する録画機能と、前記番組が有料番組の場合は、当該有料番組の購入処理を行う購入処理機能と、を備えたコンピュータにおいて、
前記コンピュータの装置状態を判定する装置状態判定機能と、
録画予約した番組の録画予約時間に到達したときに、前記装置状態により録画予約した番組が正常に録画可能か判定する録画判定機能と、
前記録画判定機能により、正常に録画出来ると判定された場合には前記購入処理機能に対して購入処理を実行させる制御をする制御機能と、
を実現させるためのプログラム。
【発明の詳細な説明】
【技術分野】
【０００１】
本発明は、有料番組を含む番組を受信する受信手段と、録画予約された番組を録画する録画手段と、前記番組が有料番組の場合は、当該有料番組の購入処理を行う購入処理手段と、を備えた放送受信装置等に関する。
【背景技術】
【０００２】
従来から、地上デジタル放送や、ケーブルテレビ放送、衛星放送等の番組放送を受信可能な放送受信装置が知られている。これらの番組は、無料で放送されるものと、有料で放送されるものがある。有料放送のサービス形態として、ペイ・パー・ビュー番組やペイ・パー・デイ番組などが放送されている。ペイ・パー・ビュー番組やペイ・パー・デイ番組を視聴するためには、番組単位もしくは一日単位での購入処理を行う必要があり、番組の視聴や録画を行うためには、まず購入処理を実施し、その後に視聴処理や録画処理を実施する。
【０００３】
また、近年は、ＩＳＤＢ−Ｔｍｍ方式のモバイルマルチメディア放送の開始が予定されており、従来の固定受信機向けの有料放送だけではなく、携帯電話などのモバイル端末での有料放送サービスを受信することも考えられている。
【０００４】
例えば、特許文献１においては、視聴予約した有料番組の放送開始時刻に到達した場合、利用者に対して購入開始案内を提示し、購入開始案内に対して、一定時間以内に利用者が操作を行わない場合には、利用者不在で視聴が出来ないと判断し、購入処理を実施しない技術について開示されている。
【０００５】
また、特許文献２においては、録画予約した番組の放送開始時刻に到達したときに受信状況が悪い場合には、録画予約をキャンセルする技術が開示されている。
【先行技術文献】
【特許文献】
【０００６】
【特許文献１】特開２００２−３２５２４３号公報
【特許文献２】特開２００９−１７１１４１号公報
【発明の概要】
【発明が解決しようとする課題】
【０００７】
いずれの文献においても、有料番組の録画予約に関しては記述が無く購入処理が必要な有料番組を録画（録画予約）する場合には、まず購入処理が実行され、その後に録画処理が実行される。したがって、受信状況が悪い場合や、録画メディアの残量が十分ではない場合にも購入処理が実施されてしまい、正常に録画ができなかったにもかかわらず、購入したことによる課金が発生してしまう可能性があった。
【０００８】
本発明は、こうした課題に鑑みてなされたものであり、放送受信装置の状態に基づいて、録画が正常にできない場合には、放送受信装置の状態が改善することにより、正常に録画が可能になるまで購入処理を見合わせることにより、適切な購入処理を行うことが出来る放送受信装置を実現することを目的とする。
【課題を解決するための手段】
【０００９】
上述した課題を解決するために、本発明の放送受信装置は、
有料番組を含む番組を受信する受信手段と、録画予約された番組を録画する録画手段と、前記番組が有料番組の場合は、当該有料番組の購入処理を行う購入処理手段と、を備えた放送受信装置において、
前記放送受信装置の装置状態を判定する装置状態判定手段と、
録画予約した番組の録画予約時間に到達したときに、前記装置状態により録画予約した番組が正常に録画可能か判定する録画判定手段と、
前記録画判定手段により、正常に録画出来ると判定された場合には前記購入処理手段に対して購入処理を実行させる制御をする制御部と、
を備えることを特徴とする。
【００１０】
また、本発明の放送受信装置において、
前記装置状態は、受信部の番組受信状態、番組を録画する録画メディアの残容量及び／又はバッテリの残量であることを特徴とする。
【００１１】
また、本発明の放送受信装置において、
前記制御部は、
番組を録画予約した時間に到達した場合に、前記受信部が番組を受信する状態が良好ではなく正常に録画ができないと判定した場合は、有料番組の購入処理を一時的に見合わせ、前記受信部が番組を正常に受信可能な状態と判定できるまで改善した場合に、前記購入処理手段に対して有料番組の購入処理を実行させる制御をすることを特徴とする。
【００１２】
また、本発明の放送受信装置において、
前記制御部は、
番組を録画予約した時間に到達した場合に、装置状態として受信部の番組受信状態が良好で正常に録画が可能と判定できる状態であっても、バッテリ残量及び／又は録画メディアの残り容量を判定して録画可能な時間を算出し、
最少録画時間分の録画が可能と判断した場合には、前記購入処理手段に対して購入処理を実行させることを特徴とする。
【００１３】
本発明のプログラムは、
有料番組を含む番組を受信する受信機能と、録画予約された番組を録画する録画機能と、前記番組が有料番組の場合は、当該有料番組の購入処理を行う購入処理機能と、を備えたコンピュータにおいて、
前記コンピュータの装置状態を判定する装置状態判定機能と、
録画予約した番組の録画予約時間に到達したときに、前記装置状態により録画予約した番組が正常に録画可能か判定する録画判定機能と、
前記録画判定機能により、正常に録画出来ると判定された場合には前記購入処理機能に対して購入処理を実行させる制御をする制御機能と、
を実現させることを特徴とする。
【発明の効果】
【００１４】
以上説明したように本発明における有料放送受信機によれば、利用者がペイ・パー・ビュー番組などの有料番組を予約して録画する場合に、番組の購入処理を実施してしまい、課金が発生してしまったにもかかわらず、録画した番組が正常に録画できていないため、正常に再生して視聴することができない場合や、少しの時間しか録画ができていないという状況を回避することができる。
【図面の簡単な説明】
【００１５】
【図１】本実施形態における放送受信装置の一例を説明するための図である。
【図２】本実施形態における放送受信装置の一例を説明するための図である。
【図３】本実施形態における放送受信装置の機能構成を説明するための図である。
【図４】第１実施例の処理の流れを説明するための動作フローである。
【図５】第２実施例の処理の流れを説明するための動作フローである。
【図６】第３実施例の処理の流れを説明するための動作フローである。
【発明を実施するための形態】
【００１６】
以下、図を参照して本発明の実施形態の一例を詳細に説明する。
【００１７】
［１．全体構成］
まず、本発明の放送受信装置を適用した家庭用の放送受信装置１について図１に示す。放送受信装置１は、外部から受信された放送（例えば地上デジタル放送や、衛星放送等）を受信するための装置である。受信された放送は、番組データとして録画（記録）されても良いし、接続された表示装置（例えば、液晶テレビ）に表示することとしても良い。
【００１８】
なお、本発明の放送受信装置は、例えば図２に示すような携帯電話２においても適用可能である。このように、放送受信装置は、固定タイプであっても、移動タイプの装置であってもよい。また、携帯電話や、カーナビゲーション装置、携帯情報端末やコンピュータに搭載されるものであっても良い。
【００１９】
［２．機能構成］
続いて、放送受信装置１の機能構成について、図３を用いて説明する。図３に示すように、放送受信装置１は、制御部１００に、受信部１１０と、ＴＳ分離部１２０と、再生出力部１２５と、録画処理部１３０と、録画メディア１３５と、記憶部１４０と、予約制御部１５０と、購入処理部１６０と、バッテリ管理部１７０と、操作表示部１８０とがバスを介して接続されている。
【００２０】
制御部１００は、放送受信装置１の全体を制御するための機能部である。制御部１００は、記憶部１４０に記憶されている各種プログラムを読み出して実行することにより各種機能を実現しており、例えばＣＰＵ（Central Process Unit）等により構成されている。
【００２１】
また、制御部１００は、受信部１１０から放送波の受信状況の通知を受け取り、放送装置受信装置１の装置状態（本実施形態では、録画メディア１３５の残量確認やバッテリ管理部１７０により管理されているバッテリの残量確認等）を行うとともに、録画の開始を行う場合には、各機能部（ＴＳ分離部１２０、録画処理部１３０）に対して指示を行う。
【００２２】
受信部１１０は、アンテナ１１５から放送波を受信して受信状況を常時判定すると共に、受信した放送波からＴＳデータをＴＳ分離部１２０へ送信する。ＴＳ分離部１２０は、ＴＳデータから、必要となるデータ（例えば、映像データ、音声データ、文字データ）を分離し、再生出力部１２５や、録画処理部１３０に出力する。
【００２３】
ここで、受信部１１０は、説明の都合上アンテナ１１５から放送波を受信することとして説明するが、例えば放送受信装置１がケーブルテレビより放送波を受信している場合には、ケーブルテレビ局の配信装置より放送波を受信したり、インターネット等の外部ネットワークに接続された放送配信サーバ装置より放送波を受信したりしても良い。
【００２４】
再生出力部１２５は、ＴＳ分離部１２０より出力された映像データ及び音声データを表示及び出力する制御を行う機能部である。この場合、映像データを接続された表示装置に出力したり、音声データを接続された音声出力装置に出力したりする。
【００２５】
録画処理部１３０は、録画処理を実施する場合に、ＴＳ分離部１２０から出力された映像データや音声データ等の録画に必要な情報を受信し、録画メディア１３５に記録する機能部である。ここで、録画処理部１３０は、録画処理中にＴＳ分離部１２０から受信した、映像データや音声データ等を、場合によっては暗号化したり、符号化方式を変換したりする等して録画メディアに記録する。
【００２６】
録画メディア１３５は、録画処理部１３０により、映像データや音声データ等が記録される記録媒体である。例えば、放送受信装置１に内蔵又は外付けされたＨＤＤ（Hard Disk Drive）、ＳＤカード（登録商標）等のメモリカード、Ｂｌｕ−ｒａｙディスクやＤＶＤディスク等の記録媒体等をいう。
【００２７】
記憶部１４０は、放送受信装置１の動作に必要な各種プログラムや、各種データが記憶されている機能部である。記憶部１４０は、例えば、半導体メモリや、ＨＤＤ（Hard Disk Drive）等により構成されている。
【００２８】
予約制御部１５０は、制御部１００からの指示を受けて、予約時間の管理を行うため内部にタイマを保持している。制御部１００から指示を受けた時間になると制御部１００に対して予約時間に到達したことを通知する。
【００２９】
購入処理部１６０は、制御部１００からの指示を受けて、通信回線を利用するなどで購入処理を行う。
【００３０】
バッテリ管理部１７０は、放送受信装置１に備えられているバッテリ（電源）の残量を確認するための機能部である。すなわち、放送受信装置１が携帯電話等のようなバッテリを利用する装置の場合に、バッテリの残量を管理する。
【００３１】
操作表示部１８０は、放送受信装置１に対して利用者が操作を行ったり、利用者に動作状況を報知したりするための機能部である。例えば、操作ボタンや、ＬＥＤランプ、タッチパネル等により構成されている。
【００３２】
［３．実施例］
続いて本実施形態における処理の流れについて図を用いて実施例について説明する。
【００３３】
［３．１  第１実施例］
まず、第１実施例について図４のフローチャートを用いて説明する。
【００３４】
制御部１００が、予約制御部１５０からの指示に従って、利用者が設定した番組の録画予約時間に到達すると、番組情報の内容などからペイ・パー・ビュー（以降、「ＰＰＶ」とする）番組などの有料番組か否かを判断する（ステップＳ１００）。
【００３５】
なお、ステップＳ１００の処理開始を、番組の開始時間よりも少し前から実施しても良い。予約した番組の開始時間と同時に実施した場合、番組の先頭が録画出来ない可能性があるので、番組の開始時間よりも少し前に実施することで、番組の先頭が切れること無く録画することができる。
【００３６】
ＰＰＶ番組などの有料番組の場合は（ステップＳ１００；Ｙｅｓ）、受信部１１０から受け取る受信状況が良好で正常に録画可能か否かを判断する（ステップＳ１０２）。受信状況が良好でなく、録画を行っても正常に再生することができないと判断した場合には（ステップＳ１０２；Ｎｏ）、受信部１１０から受け取る受信状況が良好になるまで確認を続ける。
【００３７】
ステップＳ１０２で受信状況が良好と判断できた場合は（ステップＳ１０２；Ｙｅｓ）、制御部１００は、購入処理部１６０に対して、購入処理を実施するように指示し、購入処理部１６０での購入処理を実施する（ステップＳ１０４）。購入処理が完了するとＰＰＶ番組が録画できるようになるため、制御部１００は、ＴＳ分離部１２０、録画処理部１３０に対して録画処理の開始を指示することで、録画を開始する（ステップＳ１０６）。一方、ＰＰＶ番組などの有料番組でない場合は（ステップＳ１００；Ｎｏ）、購入処理が不要なため、受信状況などは判断せず録画処理を開始する。具体的には、ＴＳ分離部１２０、録画処理部１３０に対して録画処理の開始を指示する（ステップＳ１０６）。
【００３８】
このように、本実施例によれば、ＰＰＶ等の有料番組を視聴する場合に、装置状態が番組の受信に適した状態になるまで待ち、受信に適した状態になってから購入処理及び録画処理が実行される。これにより、購入処理は行ったが有料番組を録画出来なかったということを回避することができる。
【００３９】
［３．２  第２実施例］
続いて第２実施例について説明する。図４と同様に録画予約時間に到達して、録画予約した番組がＰＰＶ番組などの有料番組の場合に、受信部１１０から受け取る受信状況が良好で正常に録画可能か否かを判断する（ステップＳ２００）。正常に録画できないと判断した場合（ステップＳ２００；Ｎｏ）、番組情報などから番組の残り時間を確認し、利用者があらかじめ設定した最少録画時間分以上の録画が可能か否かを判断する（ステップＳ２１４）。
【００４０】
ここで、最少録画時間に関しては、実際の録画時間や番組の全長に対して録画する最低の割合などが考えられ、利用者が設定していない場合は、デフォルトの設定に従うことになる。
【００４１】
最少録画時間よりも少ない時間しか番組が残っていない場合には、録画予約の処理を終了する（ステップＳ２１４；Ｙｅｓ）。他方、最少録画時間よりも番組が残っている場合は（ステップＳ２１４；Ｎｏ）、ステップＳ２００に処理が戻り受信状況の確認を継続する。
【００４２】
受信部１１０において受信状況が良好の場合（ステップＳ２００；Ｙｅｓ）、制御部１００はバッテリ管理部１７０から、バッテリ残量が十分にあるか否かを判定する（ステップＳ２０２）。例えば、バッテリ残量が８０％ある場合（満充電の状態と比較して現在のバッテリ残量が８０％の状態）にはバッテリ残量が十分にあると判定したり、録画する番組情報に基づいた録画時間以上の録画が可能なバッテリ容量があるか否かを判定する。
【００４３】
ここで、バッテリ残量が十分に無い場合（ステップＳ２０２；Ｎｏ）、設定時間分は録画可能か否かを判定する（ステップＳ２１０）。すなわち、最少録画時間以上の録画に必要なバッテリ残量があるか否かを判定する。そして、設定時間分の録画が不可能な場合は本処理を終了し（ステップＳ２１０；Ｎｏ）、設定時間分の録画が可能な場合は（ステップＳ２１０；Ｙｅｓ）、ステップＳ２０４に処理が移行する。
【００４４】
続いて、録画メディア１３５の記憶可能な残量が十分になるか否かを判定する（ステップＳ２０４）。例えば、録画メディア１３５の残容量が所定時間（例えば、５時間）の録画可能残量があるか否かを判定したり、録画する番組情報に基づいた録画時間以上の録画が可能な録画可能残量があるか否かを判定する。
【００４５】
ここで、録画メディア１３５の残量が十分に無い場合（ステップＳ２０４；Ｎｏ）、設定時間分は録画可能か否かを判定する（ステップＳ２１２）。すなわち、最少録画時間以上の録画に必要な録画可能残量があるか否かを判定する。そして、設定時間分の録画が不可能な場合は本処理を終了し（ステップＳ２１２；Ｎｏ）、設定時間分の録画が可能な場合は（ステップＳ２１２；Ｙｅｓ）、ステップＳ２０６に処理が移行する。
【００４６】
続いて、ステップＳ２０６において番組の購入処理を実施し、購入処理が完了すると録画を開始する（ステップＳ２０８）。
【００４７】
このように、本実施例によれば、受信状況が良好である場合に、装置状態（例えば、バッテリ残量や、録画メディア残量）が十分にあるか又は設定時間（最少録画時間）録画が可能な場合には、購入処理・録画処理が実行され、それ以外については購入処理・録画処理が実行されないこととなる。
【００４８】
これにより、例えば受信状況に問題が無いため購入したが、録画メディアの残量が十分でないため、短い時間しか録画出来なかったり、バッテリ残量が少なかったため、短い時間しか録画できなかったりということを防ぐことができる。
【００４９】
［３．３  第３実施例］
続いて第３実施例について図６を用いて説明する。第３実施例では、録画予約時間に到達した場合、録画予約した番組がＰＰＶ番組などの有料番組の場合に、バッテリ管理部１７０により検出されるバッテリ残量、録画メディア１３５の残量が十分で、録画する番組の最後まで（番組全体）が録画可能か否かを判定する（ステップＳ３００）。
【００５０】
なお、ステップＳ３００の前に、上述した実施例のように受信状況が良好か否かを判定してもよい。
【００５１】
ここで、ステップＳ３００で番組の最後まで録画可能と判定した場合（ステップＳ３００；Ｙｅｓ）、購入処理を実施（ステップＳ３１２）した後に、録画処理を開始する（ステップＳ３１４）。
【００５２】
他方、番組の最後まで録画が不可能と判定した場合（ステップＳ３００；Ｎｏ）、利用者が設定した設定時間分（最少録画時間）以上は録画が可能か否かを判定する（ステップＳ３０２）。ここで、設定時間（最少録画時間）以上の録画が不可能な場合（ステップＳ３０２；Ｎｏ）、録画予約処理を終了する。
【００５３】
他方、設定時間（最少録画時間）以上の録画が可能な場合は（ステップＳ３０２；Ｙｅｓ）、利用者が事前に設定した番組の最初から録画するのか、番組の最後を録画するかの録画開始モードの設定に従って、番組の購入処理の時間制御する。
【００５４】
録画開始モードが番組の最初から録画する設定の場合は（ステップＳ３０４；Ｙｅｓ）、番組の購入処理を実施し（ステップＳ３１２）、録画処理を実施する（ステップＳ３１４）。
【００５５】
他方、録画開始モードが番組の最後を録画する設定の場合は（ステップＳ３０４；Ｎｏ）、番組情報などから番組の終了時間から逆算して録画開始して番組終了部分が入る時間を算出して、予約制御部１５０に対して録画予約時間を再設定する（ステップＳ３０６）。予約制御部１５０で再設定した予約時間に到達すると、制御部１００は、予約時間へ到達したことの通知を受ける（ステップＳ３０８；Ｙｅｓ）。
【００５６】
ここで、通知を受けた時点で受信状況を判断し、受信状況が良好でない場合は（ステップＳ３１０；Ｎｏ）、録画予約処理を停止する。他方、受信状況が良好の場合は（ステップＳ３１０；Ｙｅｓ）、番組の購入処理を実施し（ステップＳ３１２）、録画処理を実施する（ステップＳ３１４）。
【００５７】
このように、本実施例によれば、録画設定モードにおいて、番組の最初から所定時間録画するか、番組の最後から所定時間録画するかを利用者が選択することができる。従って、録画メディアの残量から番組が全部録画出来ない場合であっても、利用者が重要と思われる箇所に基づいて録画することが可能となる。
【００５８】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００５９】
また、上述した実施形態は説明の都合上、固定型（据置型）の放送受信装置（すなわちバッテリを内蔵しない装置）と、移動型（可搬型）の放送受信装置（すなわちバッテリを内蔵する装置）とを併せて処理の説明を行っているが、固定型の放送受信装置のように、バッテリを内蔵しない場合は、バッテリ残量の確認処理などは実行されない。
【００６０】
また、上述した実施形態においては、装置状態の一例として録画メディアの残容量及びバッテリ状態について説明したが、それ以外の装置状態（例えば、３Ｇ回線が接続されているか否か、課金処理を行えるか否か、有料番組が再生可能か否か）に基づいて処理を実行しても良い。
【符号の説明】
【００６１】
１  放送受信装置
２  携帯電話
１００  制御部
１１５  アンテナ
１２０  ＴＳ分離部
１２５  再生出力部
１３０  録画処理部
１３５  録画メディア
１４０  記憶部
１５０  予約制御部
１６０  購入処理部
１７０  バッテリ管理部
１８０  操作表示部
【図１】
2013128196.tif 000003
【図２】
2013128196.tif 000004
【図３】
2013128196.tif 000005
【図４】
2013128196.tif 000006
【図５】
2013128196.tif 000007
【図６】
2013128196.tif 000008